(57)【要約】【課題】簡易建物を水平方向から支える簡易な補強構造を提供すること。【解決手段】複数のアーチパイプから構成される骨組み構造体と、該骨組み構造体の外面に固定され、外面にシート状材を定着するための溝が形成されたシート定着具と、前記シート定着具に形成された溝に沿って押し込まれて定着された前記シート状材と、から構成される簡易建物の補強構造であって、支柱の上部に設けられた支柱取付装置が、簡易建物の外方から前記シート状材を介して前記シート定着具に取り付けられ、支柱の下部が地盤に固定される構造とした。【選択図】図７
2008220257.tif 000002
【特許請求の範囲】
【請求項１】
間隔をおいて設置された複数のアーチパイプから構成される骨組み構造体と、
該骨組み構造体の外面に固定され、外面にシート状材を定着するための溝が形成されたシート定着具と、
前記シート定着具に形成された溝に沿って押し込まれて定着された前記シート状材と、
から構成された簡易建物の補強構造であって、
支柱の上部に設けられた支柱取付装置が、簡易建物の外方から前記シート状材を介して前記シート定着具に取り付けられるとともに、支柱の下部が地盤に固定され、簡易建物の水平荷重が地盤に伝達される簡易建物の補強構造。
【請求項２】
間隔をおいて設置された複数のアーチパイプから構成される骨組み構造体と、
該骨組み構造体の外面に固定され、外面にシート状材を定着するための溝が形成されたシート定着具と、
前記シート定着具に形成された溝に沿って押し込まれて定着された前記シート状材と、
から構成された複数棟の簡易建物の補強構造であって、
支柱の両端部に設けられた支柱取付装置が、隣り合う簡易建物の外方から前記シート状材を介して前記シート定着具に取り付けられ、簡易建物の水平荷重が隣り合う簡易建物の骨組み構造体に相互に伝達される簡易建物の補強構造。
【請求項３】
前記支柱取付装置は、前記支柱とは別体に構成されていることを特徴とする請求項１乃至請求項２のいずれかに記載された簡易建物の補強構造。
【請求項４】
前記支柱取付装置は、支柱の端部を固定する支柱固定部と、該支柱固定部に回動自在に枢着され、シート状材の上からシート定着具に係止される係止部とから構成されていることを特徴とする請求項３に記載された簡易建物の補強構造。
【請求項５】
前記簡易建物が、既設のものであることを特徴とする請求項１乃至請求項４のいずれかに記載された簡易建物の補強構造。
【請求項６】
支柱の端部を固定する支柱固定部と、該支柱固定部に回動自在に枢着され、シート状材の上からシート定着具に係止される係止部とから構成された支柱取付装置。
【請求項７】
前記係止部は、先端が自由端とされて相互に離間移動する２枚の係止板からなり、互いに離間することにより前記シート定着具の溝の奥部に進入して係止されることを特徴とする請求項６に記載された支柱取付装置。
【請求項８】
前記係止板の先端部は、前記シート状材を損傷しないための緩衝材が被覆されていることを特徴とする請求項７に記載された支柱取付装置。
【発明の詳細な説明】
【技術分野】
【０００１】
本発明は、温室、サクランボハウス、畜舎、露地野菜用防虫ハウス等のアーチパイプを組み立てた簡易建物が、台風や突風等の強風によって水平方向に倒壊しないように、簡易建物を水平方向から支える補強構造及び支柱の端部を簡易建物の表面に取り付けるための支柱取付装置に関するものである。
【背景技術】
【０００２】
本出願人は、前記簡易建物の骨組み構造について別途、簡易建物の骨組み構造を極めて特異の構造とすることで、従来簡易建物の骨組みとして使用していた炭素鋼製パイプ材料の使用総量を重量ベースで削減すること、及び、基礎工事自体を不要とするとともに組立作業を簡略化すること、によって建設コストを大幅に低減しつつ、高強度の簡易建物の骨組み構造を提供することを目的として、複数本の湾曲部材が棟木部接手によって平面視Ｘ字状正面視アーチ状に接合された骨組みユニットを１単位とする複数単位からなるアーチ材と、前記棟木部接手によって前記アーチ材の頂部において該アーチ材に接合された棟木材と、肩部接手によって前記アーチ材の肩部において該アーチ材に接合された桁材と、からなる簡易建物の骨組み構造において、前記アーチ材は、隣り合う前記骨組みユニットの前記湾曲部材同士が、前記棟木材と前記桁材との間においてＸ字状に交差するように配設された簡易建物の骨組み構造を提案している。
【特許文献１】特願２００６−１４７４７３号
【０００３】
上記簡易建物においては、アーチ材を平面視Ｘ字状正面視アーチ状に接合された骨組みユニットを１単位とする複数単位から構成するとともに、隣り合う骨組みユニットの湾曲部材同士が、棟木材と桁材との間においてＸ字状に交差させ、その交差部をＸ字接手で接合固定することにより、水平方向の強度を増強している。
しかしながら、台風が頻繁に襲来する地域や季節風が激しい地域では、なお水平方向の強度が不足して、簡易建物の骨組みが大きく変形したり、建物自体が倒壊する場合もある。
特に、簡易建物の外方から筋交いの形で簡易建物を支えて水平方向の強度を高めるためには、アーチパイプを組み立てた骨組み構造の外表面に透明合成樹脂製のシート状材を張設した簡易建物にあっては、筋交いを透明合成樹脂シートを介して骨組み構造に取り付ける必要があることから、その取付装置自体が透明合成樹脂シートを破損してしまう等、困難を伴うものであった。
【０００４】
従来、図１２、図１３に示されるように、パイプハウスの肩ストレートパイプＣに上下左右に支柱１０１が動く構造の支軸具１０２を設け、支軸具１０２に支柱１０１を備え、支柱１０１の先端に支柱１０１に対しておおむね地面方向下向きの杭１０３を設け、支柱１０１が肩ストレートパイプＣに対して真上から見た状態で９０度になる位置において杭１０３を地面に挿入した状態で栽培し、収穫時において、杭１０３を地面から抜き取って、吊り下げフック１０８を肩ストレートパイプＣに係止するパイプハウス倒壊防止具が提案されている。
また、図１４、図１５に示されるように、門型フレーム２０１を間隔を置いて複数配列して骨組み構造体２０３とし、この骨組み構造体２０３にシート状材を張設して取付け、前記骨組み構造体２０３の左右側部に補強フレーム２１０をそれぞれ設け、この補強フレーム２１０を各門型フレーム２０１に連結して補強し、前記左右に相対向した補強フレーム２１０における前記門型フレーム２０１の外向き力が作用する第１中間地点Ｂ，Ｂ′と同一高さ位置間に亘って第１の補強部材２０５を連結して外向き力を支持し、前記左右に相対向した補強フレーム２１０における前記門型フレーム２０１の内向き力が作用する第２中間地点Ａ，Ａ′と同一高さ位置間に亘って第２の補強部材２０６を連結して内向き力を支持するようにしたシートハウスが提案されている。
【特許文献２】特開２００２−２３８３６５号公報
【特許文献３】特開２００６−２９６４０９号公報
【０００５】
特許文献２の支柱１０１や、特許文献３の左右に相対向した補強フレーム２１０、第１の補強部材２０５及び第２の補強部材２０６は、パイプハウス内に設置されていることから、これら補強構造は、作物の栽培面積を減少するだけでなく、栽培作業に支障をきたす。
また、特許文献３に記載されたシートハウスは、補強のための部材が水平方向に延びているので、作業者が立ち姿勢で栽培作業を行えるようにするために、シートハウスの高さを相当高くして大型化する必要があり、また、補強のための部材の使用量が極めて多い。このため、シートハウス建設の初期費用が嵩むだけでなく、シートハウス空間が巨大化して温室効果を低減する。
【発明の開示】
【発明が解決しようとする課題】
【０００６】
以上の実状に鑑み、本発明は前記従来技術の欠点を克服することを課題とし、簡易建物を水平方向から支える簡易な補強構造及び支柱の端部を簡易建物の表面に取り付けるための簡易な支柱取付装置を提供することを目的とするものである。
【課題を解決するための手段】
【０００７】
請求項１に係る発明は、間隔をおいて設置された複数のアーチパイプから構成される骨組み構造体と、該骨組み構造体の外面に固定され、外面にシート状材を定着するための溝が形成されたシート定着具と、前記シート定着具に形成された溝に沿って押し込まれて定着された前記シート状材と、から構成された簡易建物の補強構造であって、支柱の上部に設けられた支柱取付装置が、簡易建物の外方から前記シート状材を介して前記シート定着具に取り付けられるとともに、支柱の下部が地盤に固定され、簡易建物の水平荷重が地盤に伝達される簡易建物の補強構造とした。
請求項２に係る発明は、間隔をおいて設置された複数のアーチパイプから構成される骨組み構造体と、該骨組み構造体の外面に固定され、外面にシート状材を定着するための溝が形成されたシート定着具と、前記シート定着具に形成された溝に沿って押し込まれて定着された前記シート状材と、から構成された複数棟の簡易建物の補強構造であって、支柱の両端部に設けられた支柱取付装置が、隣り合う簡易建物の外方から前記シート状材を介して前記シート定着具に取り付けられ、簡易建物の水平荷重が隣り合う簡易建物の骨組み構造体に相互に伝達される簡易建物の補強構造とした。
請求項３に係る発明は、前記支柱取付装置が、前記支柱とは別体に構成されていることを特徴としている。
請求項４に係る発明は、前記支柱取付装置が、支柱の端部を固定する支柱固定部と、該支柱固定部に回動自在に枢着され、シート状材の上からシート定着具に係止される係止部とから構成されていることを特徴としている。
請求項５に係る発明は、前記簡易建物が、既設のものであることを特徴としている。
請求項６に係る発明は、支柱の端部を固定する支柱固定部と、該支柱固定部に回動自在に枢着され、シート状材の上からシート定着具に係止される係止部とから構成された支柱取付装置である。
請求項７に係る発明は、前記支柱取付装置の係止部は、先端が自由端とされて相互に離間移動する２枚の係止板からなり、互いに離間することにより前記シート定着具の溝の奥部に進入して係止されることを特徴としている。
請求項８に係る発明は、前記係止板の先端部を前記シート状材を損傷しないための緩衝材にて被覆したことを特徴としている。
【発明の効果】
【０００８】
本発明の請求項１に係る簡易建物の補強構造は、支柱の上部に設けられた支柱取付装置を、簡易建物の外方からシート状材を介してシート定着具に取り付け、支柱の下部を地盤に固定したから、アーチパイプを組み立てた骨組み構造の外表面に透明合成樹脂シートを張設した簡易建物であっても、簡易建物の外方から筋交いの形で簡易建物を支えて水平方向の強度を高めることができる。
このため、支柱が簡易建物の外に位置して建物内に位置しないから、作物の栽培面積を減少することなく、栽培作業に支障をきたすこともない。また、シートハウスを大型化する必要がないばかりでなく補強のための部材の使用量を節約して、シートハウス建設の初期費用を低減することができる。
また、簡易建物の水平荷重は支柱を通じて地盤に伝達され、地盤からの支持力によって簡易建物の骨組み構造の剛性を高めて、簡易建物を側方向と棟方向から支える簡易な補強構造を提供することができる。
本発明の請求項２に係る簡易建物の補強構造は、前記請求項１に係る発明の効果に加え、支柱の両端部に設けられた支柱取付装置を、隣り合う簡易建物の外方から前記シート状材を介して前記シート定着具に取り付けるので、簡易建物の水平荷重が隣り合う簡易建物の骨組み構造体に相互に伝達され、風下に位置する簡易建物の骨組み構造全体を風上に位置する簡易建物の補強構造とすることができる。
本発明の請求項３に係る簡易建物の補強構造は、支柱取付装置を支柱とは別体に構成したから、支柱を簡単に取り付けることができ、補強構造の製造コストを低減することができる。
本発明の請求項４に係る簡易建物の補強構造は、支柱取付装置を、支柱の端部を固定する支柱固定部と、該支柱固定部に回動自在に枢着され、シート状材の上からシート定着具に係止される係止部とから構成したから、簡単で取扱い容易な構造とすることができる。
本発明の請求項５に係る簡易建物の補強構造は、簡易建物が既設のものであるから、新設の簡易建物に限らず既設の簡易建物にも適用することができ、漸次強度が低下した簡易建物の強度を回復・増強することができる。
本発明の請求項６に係る支柱取付装置は、支柱の端部を固定する支柱固定部と、該支柱固定部に回動自在に枢着され、シート状材の上からシート定着具に係止される係止部とから構成したから、アーチパイプを組み立てた骨組み構造の外表面に透明合成樹脂シートを張設した簡易建物であっても、簡易建物の外方から筋交いの形で簡易建物を支える支柱を簡単に取り付けることができ、簡易建物の水平方向の強度を容易に高めることができる。
本発明の請求項７に係る支柱取付装置の係止部は、先端が自由端とされて相互に離接移動する２枚の係止板からなり、互いに離間することにより前記シート定着具の溝の奥部に進入して係止されるようにしたから、支柱取付装置を簡単な操作でシート定着具に固定することができる。
本発明の請求項８に係る支柱取付装置は、前記係止板の先端部を緩衝材にて被覆したから、支柱取付装置をシート定着具にシート状材を損傷することなく堅固に固定することができる。
本発明の補強構造及び支柱取付装置は、アーチパイプを単純に複数平行して設置した従来周知の簡易建物に適用することができ、この場合の補強効果は著しく大きいものとなる。
【実施例】
【０００９】
図１は、簡易建物の一例としての骨組み構造の斜視図、図２は、同側面図、図３は、簡易建物の骨組みの骨組みユニットを示す図である。図４は、棟木材とアーチ材を接合する３層交差管接手を示す図面、図５は、本発明に係るアーチ材同士をＸ字状に接合するＸ字接手を示す図、図６は、水平の桁材と垂直からやや傾いたアーチ材を接合する十字接手を示す図である。図７は、本発明の簡易建物の補強構造の実施例を示す正面図であり、（a）は単一棟、（b）は複数棟の例を示す。図８は、簡易建物の骨組み構造体にシート状材を取り付けるためのシート定着具を示す拡大斜視図である。図９は、図７（a）の円内に示す拡大図をさらに拡大して示す図である。図１０は、本発明の支柱取付装置の斜視図である。図１１は、シート定着具の別の実施例を示す斜視図である。
【００１０】
先ず、図１乃至図６を参照して、簡易建物の骨組み構造体について説明する。
１は、一般構造用炭素鋼管から組成された簡易建物の骨組み構造を表わすものであり、通常この骨組みには、ビニル系、ポリオレフィン系、フッ素系等のフィルム、シート、防虫ネット等のシート状材が被覆されて、温室、サクランボハウス、畜舎、露地野菜用防虫ハウス、倉庫等の簡易な建物として利用される。
【００１１】
２は、正面視左右対称形状の湾曲部材である２本の湾曲した鋼管パイプ２ａ、２ｂを公知の接手によって接合した逆Ｕ字状の端部アーチ部材であり、簡易建物の棟方向両端部において、梁間方向に配されている。この実施例では、所定の間隔をあけて２本の端部アーチ部材２が、建物両端部にそれぞれ設置されて端部アーチ材を構成しているが、その数は１本でも、３本でもよい。
【００１２】
３は、図３に示されるように、平面視Ｘ字状に、正面視アーチ状となるように、図４に示される棟木部における３層交差管接手１１によって接合された骨組みユニットである。
この棟木部における３層交差管接手１１は、上段に棟木材５に固定される棟木固定部１２と、該棟木固定部の下方にボルト等の固定具１５にて連結され、後述する４本の鋼管パイプの一端を開口部から挿入固定して立体的に交差接合するＸ字接続管１６とから構成されている。
棟木固定部１２は、棟木５に固定される半円形湾曲板１３と、Ｘ字接続管１６と固定具１５にて回動自在に一体化された取付板１４とから構成されており、鋼板を折曲げ加工して形成されたものである。
半円形湾曲板１３は、正面視逆Ｕ字状を呈し、側板の下端部には内方及び上方へ折曲げられて溝１３１が形成されている。この溝の底面は、図５において手前側ほど低くされていて、いわばテーパー状溝によるクサビが構成されている。そしてこの溝１３１には後述する取付板１４の脚部１４２の突起１４３が係合する係合凹部１３２が形成されている。
取付板１４は、平板の両端に下方に延びる脚１４２を有する断面コ字状の板材で、該脚の中央部に上記係合凹部１３２に係合する突起１４３が設けられている。取付板１４の長手方向に沿って棟木５を収容する収容部１４１が凹設されており、その中央に固定具１５の頂部が収容部１４１底面と面一とされて臨んでいる。
Ｘ字接続管１６は、２本の接続管１７、１８がＸ字状に重なって立体的に交差しており、上記取付板１４とともにボルト、ナット等の固定具１５にて一体化されている。
【００１３】
骨組みユニット３は、上述の端部アーチ材用の鋼管パイプ２ａ、２ｂと同じ高さで、正面視したときの幅がやや広く、平面視して斜めに配置したときに端部アーチ材用の鋼管パイプの形状と同じになる、正面視左右対称形状の４本の湾曲した鋼管パイプ３ａ、３ｂ、３ｃ、３ｄの先端を、上述のＸ字接続管１６に挿入固定して交差状に組み立てられている。
このとき、Ｘ字接続管１６には取付板１４が固定されているので、棟木５を挟持した状態で上記半円形湾曲板１３の溝１３４に取付板１４の脚１４１を当接し、半円形湾曲板１３を棟木５に沿って滑らせて、棟木５と骨組みユニット３とを接合する。
このようにして組み立てられた骨組みユニット３は、平面視してＸ字状を、正面視してアーチ状を呈する。
この実施例では、４本の湾曲した鋼管パイプ３ａ、３ｂ、３ｃ、３ｄにて骨組みユニット３を構成したが、この実施例に限らず、それ自体アーチ形状をした２本の湾曲部材を上記のものとは異なるＸ字接手により立体的に交差した状態に接合してもよい。
【００１４】
４は、図１に示されるように、連続的に設置されたものの一つ置きのＸ字状骨組みユニット３に取り付けられるタイバーである。このタイバーは、骨組みユニット３の平面視右側に位置する湾曲部材３ａ、３ｄを連結している。
なお、タイバー４の取り付け方については、全ての骨組みユニット３に取り付けてもよい。また、骨組みユニット３の左側、あるいは両側に取り付けることも可能である。要するに、風の強さや降雪量等の地域特性を考慮して決定すればよい。
５は、上記端部アーチ材と上記アーチ材の頂部に接合された棟木、６、７は、該両アーチ材の肩部、柱部下端部に接合された桁材、裾材である。
【００１５】
以下、上述の端部アーチ材、アーチ材、棟材、桁材、裾材の具体的な設置例について説明する。
間口６ｍ、地表面より桁材までの柱高２ｍの端部アーチ部材２ａは、簡易建物の棟方向両端に１本ずつ、その内側に０．４５〜０．５５ｍ間隔を設けてもう１本ずつ建て込まれ、柱部下端部が土中に挿入されて立設され、端部アーチ材２を構成している。
その中間には、複数単位の骨組みユニット３が連続的に０．８〜０．９ｍスパンで建て込まれているが、図１に示されるように、隣り合う骨組みユニット３、例えば図２に示される３の１と３の２の湾曲部材同士３ａと３ｃ、３ｄと３ｂは、棟木材５と桁材６との間において、Ｘ字接手２１によって重なって交差するように配設され、また、一つ置きの骨組みユニット３、例えば３の１と３の３の湾曲部材の柱部下端同士が、略近接して位置するように配設され、その下端部が土中に挿入されている。
【００１６】
図５を参照して、Ｘ字接手２１について説明する。
図５（ｂ）は、パイプ３ａ、３ｃを実装した平面図である。
Ｘ字接手２１は、短冊状の鋼板を折曲加工して形成されていて、短手方向に対して所定角度である２０°傾斜した溝状受入部２３を有している同一形状の２枚の鋼板２２、２２を、該溝状受入部２３、２３同士を対向させて重合して、図示しないボルト、蝶ナット等の固定具にて固定されている。
前記２枚の鋼板のうちの一方２２の１端部には円孔２４が、他端部には前記円孔２４を中心とする円弧に沿った長孔２６が穿設されている。
そして、前記２枚の鋼板のうちの他の鋼板２２の両端部には、前記円孔２４と前記長孔２６に対応する位置にそれぞれ円孔２５，２７が穿設されている。
円孔２７は、鋼管パイプ３ａ、３ｃが４０度の角度で交差するとき、長孔２６の中心に位置するよう設定されている。
一方の鋼板２２は、他の鋼板２２に対して円孔２４、２５を貫通するボルト等の固定具を中心として±５度程度回動し得るから、鋼管パイプ３ａ、３ｃ同士の交角が多少変化しても、鋼板２２を相互に回動することにより微調整可能である。
【００１７】
肩部における十字接手３１について、図６を参照して説明する。
図６（ａ）は正面図、図６（ｂ）は平面図、図６（ｃ）は側面図である。
この肩部における十字接手３１は、前記アーチ材２、３の肩部及び裾部において、桁材６または裾材７と該アーチ材とを、アーチ材がやや傾斜した十字状に接合する接手である。肩部における十字接手と裾部における接手とは構造が同一であるので、以下、肩部における十字接手について説明する。
十字接手３１は、短冊状の鋼板を折曲加工して形成されるもので、水平方向に伸びる桁材６または裾材７を収容する半円形湾曲板３２と、その側板３５に形成された開口部３３に挿通され、アーチ材２または端部アーチ材を収容するＵ字状係合片３４と、半円形湾曲板３２の側板下端に形成された内方折曲片３７と鋼管パイプの間隙に打ち込まれる楔片３８とから構成されている。
半円形湾曲板３２に形成された開口部３３の幅は、上記Ｕ字状係合片３４の幅より大きくされて、開口部３３の上縁には、Ｕ字状係合片３４の端縁を直交方向と±１０度の範囲で回動して、任意の角度で受け入れる係合凹部３９が刻設されている。
また、Ｕ字状係合片３４の上縁部には、桁材等６（７）を受け入れる円弧状凹部４０が設けられている。
桁材６と裾材７は、この肩部接手３１と同様の構造の裾部接手により、上記アーチ材２、３に固定される。
【００１８】
以上の説明から明らかなように、この簡易建物の骨組み構造によれば、棟部において、４本の鋼管パイプをＸ字接続管１６にて一体化して骨組みユニット３を構成し、この骨組みユニット３を半円形湾曲板１３と取付板１４にて棟木５に固定し、棟木５と桁材６の中間部位において、Ｘ字接手２１にて隣り合う骨組みユニットのアーチ材同士を接合して、肩部において１つ置きに隣り合う骨組みユニット３のアーチ材同士を近接させて桁材６と接合して、屋根面を構成している。
屋根面の棟木５と桁材６の間では、棟木５を上弦材とし桁材６を下弦材とするトラスが二重に配置された構造となっており、強度的に優れた架構を構築することができる。
【００１９】
この簡易建物の骨組み構造によれば、基本的にはその強度面において不足することはないが、台風が頻繁に襲来する地域や季節風が激しい地域では、なお水平方向の強度が不足して、簡易建物の骨組みが大きく変形したり、建物自体が倒壊する場合もあり得る。
なお、以上の説明においては、簡易建物１の実施例として、複数本の湾曲部材が棟木部接手によって平面視Ｘ字状正面視アーチ状に接合された骨組みユニットを１単位とする複数単位からなるアーチ材と、前記棟木部接手によって前記アーチ材の頂部において該アーチ材に接合された棟木材と、肩部接手によって前記アーチ材の肩部において該アーチ材に接合された桁材と、からなる簡易建物の骨組み構造において、前記アーチ材は、隣り合う前記骨組みユニットの前記湾曲部材同士が、前記棟木材と前記桁材との間においてＸ字状に交差するように配設された骨組み構造を示したが、骨組み構造としては、アーチパイプを単純に複数平行に設置した従来周知のものでもよい。
この場合には、骨組み構造が元々強度面で不足することが多いから、その補強効果は著しく大きい。
また、本願発明の補強構造は、新設の簡易建物に限らず既設の簡易建物にも適用することができ、漸次強度が低下した簡易建物の強度を回復・増強することができる。
【００２０】
次いで、本発明の簡易建物の補強構造及び支柱取付装置について、図７乃至図１１を参照して詳細に説明する。
図７（a）に本発明の単一棟の簡易建物の補強構造を、図７（b）に複数棟の簡易建物の補強構造を正面視して示す。
単一棟の簡易建物１を補強する場合は、支柱５２の上端を支柱取付装置５０にて、簡易建物１のシート定着具５１に固定するとともに、その下端を地盤に挿入固定する。
複数棟の簡易建物１を補強する場合は、並列する棟のうち最も外方に位置する簡易建物１の外側については、上記した単一棟の補強構造と同じであるが、隣り合う簡易建物の間については、対向するシート定着具５１、５１の間に、支柱取付装置５０が両端部に設けられた支柱５２を、水平状に掛け渡して取り付け固定する。
図示を省略しているが、この支柱５２は、簡易建物の妻面に取付けて棟方向の補強を行うこともできる。
【００２１】
この簡易建物１のアーチパイプ２、３の肩部には、図８に示されるように棟方向にシート定着具５１が取付金具６２等にて固定されている。シート定着具５１は、図８、図９に示されるように、その断面形状が外向きの蟻溝形とされている。
この断面形状は、支柱取付装置５０の拡開翼５７、５８が開かれたとき、その先端が溝内に進入可能であればよく、蟻溝形に限られない。
【００２２】
シート状材は、ビニール系、ポリオレフィン系、フッ素系等のフィルム、シート状のものに限られず、防虫ネット等の網状物でもよい。
シート状材を簡易建物１の外面に取り付けられたシート定着具５１に定着するには、図１１に示すように、シート定着具５１の上にシート状材６３を配置した後、軟質塩化ビニール製の中央連結部によって連結された塩化ビニール製のＷ形に折曲されたシート状材止め材６４によってシート定着具５１の溝内にシート状材６３を押し込み、次に該シート状材止め材６４の長手方向に多数配設された展張片６５をそれぞれ立ち上げてシート状材止め材６４を溝内で展張させることによってシート状材６３を溝内に挾持した後、該展張片６５を押し倒しながら定着用波形線材６６を装着し、該定着用波形線材６６の弾性力にてシート状材止め材６４を介して溝内の両側にシート状材６３を挾圧定着する。
このような構成にすると、シート状材６３の表面にシート状材止め材６４が位置するから、支柱取付装置５０によるシート状材６３の破損をさらに確実に防止することができる。
なお、上記シート状材止め材６４を省略して、シート状材６３のみを直接シート定着具５１に定着用波形線材６６を用いて定着するものとしてもよい。
【００２３】
図９、図１０を参照して、支柱取付装置５０について説明する。
支柱５２の下端は、地盤に挿入固定されるが、その上端には、支柱取付装置５０が取り付けられる。
支柱取付装置５０は、支柱の端部を固定する支柱固定部と、該支柱固定部に回動自在に枢着され、シート状材の上からシート定着具に係止される係止部とから構成される。
この実施例では、支柱固定部は、支柱５２の一端または両端に取り付けられる抱持部材５３と台座取付片５４とからなり、また、係止部は、コ字状台座５５と拡開翼５７、５８とから構成されている。
抱持部材５３は支柱５２の外周を取り巻くように、支柱５２と同一の形状をした管状体で、その一部は切り欠かれて端縁から平行して台座取付片５４が突出形成されている。
【００２４】
コ字状台座５５は平面視コ字状をしていて、２本の脚部の間が中央連結片５６にて連結されている。
コ字状台座５５の中央連結片５６の脚部のない辺縁には、２枚の拡開翼５７、５８が脚部と反対方向に、水平に延びている。
この拡開翼５７、５８の先端は自由端とされ、この実施例においては、シート状材６３の損傷を防止するためのゴム、プラスチック等からなる緩衝材６１にて被覆されている。
【００２５】
コ字状台座５５は、ボルト６０により支柱固定部の台座取付片５４に回動自在に枢着されている。
コ字状台座５５は、図９においては台座取付片５４の内側に、図１０においては５４の外側に枢着されているが、どちらの形態を採用しても構わない。
更に、拡開翼５７、５８は図１０に示された態様に限られず、上下逆にしてボルト６０の頭を上方位置とすることも可能である。
【００２６】
５９は、２枚の拡開翼５７、５８を相互に離接移動、すなわち開閉するための開閉用ボルトである。６７は、拡開翼５７、５８の強度を増強するための膨出部である。
図示を省略しているが、上側の拡開翼５７の開閉用ボルト５９の先端が当接する部位には、該先端が回動自在で当接位置がずれないための有底のバカ孔が穿設されている。
一方、下側の拡開翼５８の中央部には、開閉用ボルト５９が螺入するための雌ネジが切られている。
以上の説明において、支柱取付装置５０は、製作上の容易性や取付作業の簡易性から、支柱５２と別体のものとしているが、支柱５２と一体のものとしてもよい。
また、拡開翼５７、５８の外面形状をシート定着具の溝の内面の形状と近似する形状とすれば、支柱取付装置をシート定着具にシート状材をさらに損傷することなく堅固に固定することができる。
【００２７】
支柱取付装置５０は軟鉄から製作されている。
抱持部材５３と台座取付片５４は、矩形板片をプレス加工して折曲形成される。
また、コ字状台座５５と拡開翼５７、５８は、平面視十字形の板片のうち、鍛造により表面に膨出部６７が形成された左右方向に延びる板片５７、５８が、該膨出部６７が対向する方向に中央連結片５６を挟んでプレス加工にて折曲形成され、上下方向に延びる平板状の板片５５、５５が、前記板片５７、５８の折り曲げ方向とは逆側に、中央連結片５６を挟んでプレス加工にて折曲形成される。
【００２８】
この支柱取付装置５０を、簡易建物１の外方からシート状材６３を介してシート定着具５１に取り付ける方法について説明する。
先ず、段落００２２にて前述した要領で、図１１に示すように、簡易建物１の外面にシート状材６３をシート定着具５１に定着する。
別途、支柱５２の他端を地盤に打ち込むか、対向する隣の簡易建物１のシート定着具５１に取り付けておき、支柱５２の一端に支柱取付装置５０を、位置を調整しながら取付固定する。
次いで、開閉用ボルト５９を後退させて、２枚の拡開翼５７、５８を近づけた状態で、簡易建物１のシート定着具５１の蟻溝内に望ませ、そこで、開閉用ボルト５９を工具を使用して前進させる。
すると、２枚の拡開翼５７、５８は、互いに離間することによりシート定着具５１の蟻溝の奥部に進入して行って、支柱取付装置５０はシート定着具５１に係止される。
【００２９】
支柱５２の一端が地中に埋設された形態にあっては、支柱５２の下部が地盤に固定され、簡易建物の水平荷重が地盤に伝達され、地盤からの支持力によって簡易建物の骨組み構造の剛性を高めて、簡易建物を水平方向から支える簡易な補強構造となる。
また、支柱５２の両端部に設けられた支柱取付装置５０、５０を、隣り合う簡易建物の対向するシート定着具５１、５１に取り付ける形態にあっては、簡易建物の水平荷重が隣り合う簡易建物の骨組み構造体に相互に伝達され、風下に位置する簡易建物の骨組み構造全体を風上に位置する簡易建物の補強構造とすることができる。
【図面の簡単な説明】
【００３０】
【図１】簡易建物の骨組み構造の斜視図である。
【図２】簡易建物の骨組み構造の側面図である。
【図３】骨組み構造の１単位の骨組みユニットの斜視図である。
【図４】３層交差管接手を示す図面である。
【図５】アーチ材同士をＸ字状に接合するＸ字接手を示す図である。
【図６】水平の桁材と垂直からやや傾いたアーチ材を接合する十字接手を示す図である。
【図７】本発明の実施例を示す正面図であり、（a）は単一棟、（b）は複数棟の例を示す。
【図８】簡易建物の骨組み構造体にシート状材を取り付けるためのシート定着具を示す斜視図である。
【図９】図７（a）の円内に示す拡大図をさらに拡大して示す図である。
【図１０】本発明の支柱取付装置の斜視図である。
【図１１】シート定着具の別の実施例を示す斜視図である。
【図１２】従来例１を示す斜視図である。
【図１３】従来例１の支柱を示す拡大斜視図である。
【図１４】従来例２を示す斜視図である。
【図１５】従来例２を示す正面図である。
【符号の説明】
【００３１】
１    簡易建物の骨組み構造
２    端部アーチ材
３    アーチ材
４    タイバー
５    棟木材
６    桁材
７    裾材
９    谷樋
１１    ３層交差管接手
１２    棟木固定部
１５    固定具
１６    Ｘ字接続管
２１    Ｘ字接手
２２    鋼板
２３    鋼板
３１    十字接手
３２    半円形湾曲板
３４    Ｕ字状係合片
３８    楔片
５０    支柱取付装置
５１    シート定着具
５２    支柱
５３    抱持部材
５４    台座取付片
５５    コ字状台座
５６    中央連結片
５７    拡開翼（上側）
５８    拡開翼（下側）
６１    緩衝材
６４    シート状材止め材
６６    定着用波形線材
６７    膨出部
【図１】
2008220257.tif 000003
【図２】
2008220257.tif 000004
【図３】
2008220257.tif 000005
【図４】
2008220257.tif 000006
【図５】
2008220257.tif 000007
【図６】
2008220257.tif 000008
【図７】
2008220257.tif 000009
【図８】
2008220257.tif 000010
【図９】
2008220257.tif 000011
【図１０】
2008220257.tif 000012
【図１１】
2008220257.tif 000013
【図１２】
2008220257.tif 000014
【図１３】
2008220257.tif 000015
【図１４】
2008220257.tif 000016
【図１５】
2008220257.tif 000017